(57)【要約】      （修正有）【課題】軒樋の意匠性を損なうことなく軒樋を接続でき、且つ、軒樋端部からの漏水を防止することのできる内継手を低コストで提供する。【解決手段】前記内継手本体２１の前壁板２１２の内側部分に長さ方向Ｉに伸びる前壁凹部２１４が設けられ、前記内継手本体２１の後壁板２１３の内側部分に長さ方向Ｉに伸びる後壁突起２１５が設けられていると共に、前記内継手本体２１の後壁板２１３の上端における長手方向Ｉの両端部分からそれぞれ内側に（即ち、後方に）向けて膨出した後耳抱持部２１６，２１６が設けられ、一方の後耳抱持部２１６と他方の後耳抱持部２１６との間の後壁板２１３の上端を覆うように、前記抑え片２２の後壁板２２３の上端からその外側に張り出して形成された張り出し片２２３ａが設けられると共に、その張り出し片２２３ａの両端の外側部分にヒンジ嵌合部２２４，２２４が設けられている内継手２とする。【選択図】図１
2008156996.tif 000002
【特許請求の範囲】
【請求項１】
（ａ）前壁板、該前壁板に対抗して設けられた後壁板、及び、該前壁板の下端と後壁板の下端とを連結する底板で構成された内継手本体と、（ｂ）前壁片、該前壁片に対抗して設けられた後壁片、及び、該前壁片と後壁片板とを連結する連結板で構成された、前記内継手本体を軒樋に抑えるための、抑え片と、を有する内継手において、
（イ）前記内継手本体の前壁板の内側部分に長さ方向に伸びる前壁凹部が設けられ、前記内継手本体の後壁板の内側部分に長さ方向に伸びる後壁突起が設けられていると共に、前記内継手本体の後壁板の上端における長手方向の両端部分からそれぞれ内側に向けて膨出した後耳抱持部が設けられ、
（ロ）前記両後耳抱持部の長手方向の内端部分における外側にそれぞれヒンジ部が設けられると共に、前記両後耳抱持部の下方部分にそれぞれ内側に膨出した操作片が設けられ、そして、
（ハ）前記内継手における一方の後耳抱持部と他方の後耳抱持部との間の後壁板の上端を覆うように、前記抑え片の後壁板の上端からその外側に張り出して形成された張り出し片が設けられると共に、その張り出し片の両端の外側部分にヒンジ嵌合部が設けられている
ことを特徴とする内継手。
【請求項２】
前記抑え片における前壁片が前記内継手本体における前壁板に押圧されながら前記前壁凹部の上面に係止されると共に、前記抑え片における後壁片が前記内継手本体における後壁板に押圧されながら前記後壁突部の上面に係止され、そして、前記抑え片におけるヒンジ嵌合部が前記内継手本体のヒンジ部に嵌合されていることを特徴とする請求項１に記載の内継手。
【請求項３】
前記抑え片の前壁片上面に前側目印が設けられていることを特徴とする請求項１又は２に記載の内継手。
【請求項４】
一対の軒樋の長手方向の端部同志が対向され、それらの軒樋の端部の内面に沿って内継手が装着された軒樋の接続構造において、請求項１〜３のいずれか１項に記載された内継手を有していることを特徴とする軒樋の接続構造。
【請求項５】
前記抑え片における前壁片が前記内継手本体における前壁板に押圧されながら前記前壁凹部の上面に係止されると共に、前記抑え片における後壁片が前記内継手本体における後壁板に押圧されながら前記後壁突部の上面に係止され、かつ、前記抑え片におけるヒンジ嵌合部が前記内継手本体のヒンジ部に嵌合されて、前記ヒンジ部を介して内継手本体と抑え片とが連結されていることを特徴とする請求項４に記載の軒樋の接続構造。
【発明の詳細な説明】
【技術分野】
【０００１】
本発明は、断面外形が略コ字形で開口を上方に向けて軒先に設置される２本の軒樋を接続する内継手及びそれを有する軒樋の接続構造に関するものである。
【背景技術】
【０００２】
従来から、一対の軒樋を相互に接続するには、接続すべき軒樋の長手方向の端部同士を対向させ、それらの軒樋の端部の外面側に外継手を被嵌して、それらの軒樋を挟持することにより、軒樋を接続する軒樋の接続構造が提案されている。
【０００３】
しかしながら、従来の軒樋の接続構造においては、外継手が所々に見えるので、外観が悪くなる、という問題があった。軒樋の持つ美しい水平線は、住宅を彩る重要な要素として近年重視されるようになってきたが、このようなニーズに外継手で対応することは、非常に難しいことであるので、外継手を用いない軒樋接続構造が待ち望まれていた。外継手を用いることなく、内継手を用いた軒樋の接続構造としては、図６に示すように、軒樋ａの後耳部ｅと内継手ｂの後側壁ｃの上端とが把持具ｄを介して保持されており、軒樋ａの後耳部ｅは後側壁ｇの上端から後方もしくは前方に向けて膨出した係止突起部ｆが形成され、把持具ｄは係止突起部ｆを冠着する開口溝ｉが設けられ、該開口溝ｉに前記係止突起部ｆが冠着されて軒樋ａの後側壁ｇと開口溝ｉの溝縁との間に係合溝ｊが形成され、該係合溝ｊに内継手ｂの後側壁ｃの上端に形成された後耳係止部ｈが係合されたもの（特許文献１を参照。）が提案されている。
【特許文献１】特開２００４−１７６３７７号報
【発明の開示】
【発明が解決しようとする課題】
【０００４】
前記特許文献１に記載された軒樋の接続構造においては、軒樋の後耳部と内継手の後側壁の上端とが把持具を介して保持させるときに、軒先に取付けられた軒樋と鼻隠し板との間が狭い空間となるので、取り付け時に把持具が係合できないこと、所定の位置まで係合したと勘違いしてそのまま使われた場合には、内継手を係合させる際に把持具が外れて軒樋の端部から雨水が漏れる場合があること、等の問題があった。
【０００５】
本発明は、かかる問題を解決することを目的としている。
【０００６】
即ち、本発明は、軒樋の意匠性を損なうことなく軒樋を接続でき、且つ、軒樋端部からの漏水を防止することのできる内継手及びそれを有する軒樋の接続構造を低コストで提供することを目的としている。
【課題を解決するための手段】
【０００７】
請求項１に記載された発明は、（ａ）前壁板、該前壁板に対抗して設けられた後壁板、及び、該前壁板の下端と後壁板の下端とを連結する底板で構成された内継手本体と、（ｂ）前壁片、該前壁片に対抗して設けられた後壁片、及び、該前壁片と後壁片板とを連結する連結板で構成された、前記内継手本体を軒樋に抑えるための、抑え片と、を有する内継手において、
（イ）前記内継手本体の前壁板の内側部分に長さ方向に伸びる前壁凹部が設けられ、前記内継手本体の後壁板の内側部分に長さ方向に伸びる後壁突起が設けられていると共に、前記内継手本体の後壁板の上端における長手方向の両端部分からそれぞれ後方に向けて膨出した後耳抱持部が設けられ、
（ロ）前記両後耳抱持部の長手方向の内端部分における外側にそれぞれヒンジ部が設けられると共に、前記両後耳抱持部の下方部分にそれぞれ内側に膨出した操作片が設けられ、そして、
（ハ）前記内継手における一方の後耳抱持部と他方の後耳抱持部との間の後壁板の上端を覆うように、前記抑え片の後壁板の上端からその外側に張り出して形成された張り出し片が設けられると共に、その張り出し片の両端の外側部分にヒンジ嵌合部が設けられている
ことを特徴とする内継手である。
【０００８】
請求項２に記載された発明は、請求項１に記載された発明において、前記抑え片における前壁片が前記内継手本体における前壁板に押圧されながら前記前壁凹部の上面に係止されると共に、前記抑え片における後壁片が前記内継手本体における後壁板に押圧されながら前記後壁突部の上面に係止され、そして、前記抑え片におけるヒンジ嵌合部が前記内継手本体のヒンジ部に嵌合されていることを特徴とするものである。
【０００９】
請求項３に記載された発明は、請求項１又は２に記載された発明において、前記抑え片の前壁片上面に前側目印が設けられていることを特徴とするものである。
【００１０】
請求項４に記載された発明は、一対の軒樋の長手方向の端部同志が対向され、それらの軒樋の端部の内面に沿って内継手が装着された軒樋の接続構造において、請求項１〜３のいずれか１項に記載された内継手を有していることを特徴とする軒樋の接続構造である。
【００１１】
請求項５に記載された発明は、請求項４に記載された発明において、前記抑え片における前壁片が前記内継手本体における前壁板に押圧されながら前記前壁凹部の上面に係止されると共に、前記抑え片における後壁片が前記内継手本体における後壁板に押圧されながら前記後壁突部の上面に係止され、かつ、前記抑え片におけるヒンジ嵌合部が前記内継手本体のヒンジ部に嵌合されて、前記ヒンジ部を介して内継手本体と抑え片とが連結されていることを特徴とするものである。
【発明の効果】
【００１２】
請求項１に記載された発明によれば、（ａ）前壁板、該前壁板に対抗して設けられた後壁板、及び、該前壁板の下端と後壁板の下端とを連結する底板で構成された内継手本体と、（ｂ）前壁片、該前壁片に対抗して設けられた後壁片、及び、該前壁片と後壁片板とを連結する連結板で構成された、前記内継手本体を軒樋に抑えるための、抑え片と、を有する内継手において、（イ）前記内継手本体の前壁板の内側部分に長さ方向に伸びる前壁凹部が設けられ、前記内継手本体の後壁板の内側部分に長さ方向に伸びる後壁突起が設けられていると共に、前記内継手本体の後壁板の上端における長手方向の両端部分からそれぞれ外側に向けて膨出した後耳抱持部が設けられ、（ロ）前記両後耳抱持部の長手方向の内端部分における外側にそれぞれヒンジ部が設けられると共に、前記両後耳抱持部の下方部分にそれぞれ内側に膨出した操作片が設けられ、そして、（ハ）前記内継手における一方の後耳抱持部と他方の後耳抱持部との間の後壁板の上端を覆うように、前記抑え片の後壁板の上端からその外側に張り出して形成された張り出し片が設けられると共に、その張り出し片の両端の外側部分にヒンジ嵌合部が設けられているので、軒樋の意匠性を損なうことなく軒樋を接続でき、且つ、軒樋端部からの漏水を防止することのできる内継手を低コストで提供することができる。
【００１３】
請求項２に記載された発明によれば、前記抑え片における前壁片が前記内継手本体における前壁板に押圧されながら前記前壁凹部の上面に係止されると共に、前記抑え片における後壁片が前記内継手本体における後壁板に押圧されながら前記後壁突部の上面に係止され、そして、前記抑え片におけるヒンジ嵌合部が前記内継手本体のヒンジ部に嵌合されているので、軒樋と内継手とがより確実に接続でき、そのために、積雪、台風等による外力が軒樋にかかっても内継手が軒樋から外れることがない。
【００１４】
請求項３に記載された発明によれば、前記抑え片の前壁片上面に前側目印が設けられているので、この目印が一対の軒樋の端部に内継手を取付ける際の範囲を示すものとなる。
【００１５】
請求項４に記載された発明によれば、一対の軒樋の長手方向の端部同志が対向され、それらの軒樋の端部の内面に沿って内継手が装着された軒樋の接続構造において、請求項１〜３のいずれか１項に記載された内継手を有しているので、軒樋の意匠性を損なうことなく軒樋を接続でき、且つ、軒樋端部からの漏水を防止することのできる軒樋の接続構造を低コストで提供することができる。
【００１６】
請求項５に記載された発明によれば、前記抑え片における前壁片が前記内継手本体における前壁板に押圧されながら前記前壁凹部の上面に係止されると共に、前記抑え片における後壁片が前記内継手本体における後壁板に押圧されながら前記後壁突部の上面に係止され、かつ、前記抑え片におけるヒンジ嵌合部が前記内継手本体のヒンジ部に嵌合されて、前記ヒンジ部を介して内継手本体と抑え片とが連結されているので、軒樋と内継手とがより確実に接続でき、そのために、積雪、台風等による外力が軒樋にかかっても内継手が軒樋から外れることがない。
【発明を実施するための最良の形態】
【００１７】
以下、本発明の実施の形態を図面を用いて説明する。図１は、本発明の一実施形態を示す内継手の斜視図である。図２は、本発明の一実施形態を示す内継手の分解斜視図である。図３は、本発明の一実施形態を示す軒樋の接続構造の斜視図である。図４は、図３におけるＡ−Ａ断面図である。図５は、抑え板の動きを示す断面説明図である。
【００１８】
図１〜５に示されているように、内継手２は、（ａ）前壁板２１２、該前壁板２１２に対抗して設けられた後壁板２１３、及び、該前壁板２１２の下端と後壁板２１３の下端とを連結する底板２１１で構成された内継手本体２１と、（ｂ）前壁片２２２、該前壁片２２２に対抗して設けられた後壁片２２３、該前壁片２２２と後壁片２２３とを連結する連結板２２１で構成された、前記内継手本体２１を軒樋１に抑えるための、抑え片２２と、を有している。そして、前記内継手２においては、（イ）前記内継手本体２１の前壁板２１２の内側部分に長さ方向Ｉに伸びる前壁凹部２１４が設けられ、前記内継手本体２１の後壁板２１３の内側部分に長さ方向Ｉに伸びる後壁突起２１５が設けられていると共に、前記内継手本体２１の後壁板２１３の上端における長手方向Ｉの両端部分からそれぞれ外側、即ち、後方に向けて膨出した後耳抱持部２１６，２１６が設けられ、（ロ）前記両後耳抱持部２１６，２１６の長手方向Ｉの内端部分における外側にそれぞれヒンジ部２１６ａ，２１６ａが設けられると共に、前記両後耳抱持部２１６，２１６の下方部分にそれぞれ内側に膨出した操作片２１６ｂ、２１６ｂが設けられ、そして、（ハ）前記内継手２における一方の後耳抱持部２１６と他方の後耳抱持部２１６との間の後壁板２１３の上端を覆うように、前記抑え片２２の後壁片２２３の上端からその外側に張り出して形成された張り出し片２２３ａが設けられると共に、その張り出し片２２３ａの両端の外側部分にヒンジ嵌合部２２４，２２４が設けられている。
【００１９】
本発明においては、前記内継手２は、前記内継手本体２１と前記抑え片２２とで構成されているが、その外面形状は、前記軒樋１の内面形状とほぼ合致する形状となっている。前記内継手本体２１は、平坦な底板２１１と、この底板２１１の両側部から立設された前壁板２１２、及び、後壁板２１３とで構成されているが、その形状は、全体として溝形状となっている。前記内継手本体２１の前壁板２１２は、前記底板２１１から外側に向けて若干傾斜して形成され、その途中で、段部が前方に若干膨出して形成されている。前記内継手本体２１の後壁板２１３は、前記底板２１１に対して略直角に形成されている。前記内継手本体２１は、前記後壁板２１３の上端から後方に向け膨出した後耳抱持部２１６，２１６を保持し、その後耳抱持部２１６，２１６にヒンジ部２１６ａ，２１６ａを形成し、前記軒樋１の後耳部１５に嵌着して取付けられるもので、図１に示すように、後耳部１５を容易に嵌入できるよう、操作片２１６ｂ，２１６ｂを設けている。
【００２０】
このように、（ａ）前壁板２１２、該前壁板２１２に対抗して設けられた後壁板２１３、及び、該前壁板２１２の下端と後壁板２１３の下端とを連結する底板２１１で構成された内継手本体２１と、（ｂ）前壁片２２２、該前壁片２２２に対抗して設けられた後壁片２２３、該前壁片２２２と後壁片２２３とを連結する連結板２２１で構成された、前記内継手本体２１を軒樋１に抑えるための、抑え片２２と、を有している内継手２において、（イ）前記内継手本体２１の前壁板２１２の内側部分に長さ方向Ｉに伸びる前壁凹部２１４が設けられ、前記内継手本体２１の後壁板２１３の内側部分に長さ方向Ｉに伸びる後壁突起２１５が設けられていると共に、前記内継手本体２１の後壁板２１３の上端における長手方向Ｉの両端部分からそれぞれ後方に向けて膨出した後耳抱持部２１６，２１６が設けられ、（ロ）前記両後耳抱持部２１６，２１６の長手方向Ｉの内端部分における外側にそれぞれヒンジ部２１６ａ，２１６ａが設けられると共に、前記両後耳抱持部２１６，２１６の下方部分にそれぞれ内側に膨出した操作片２１６ｂ、２１６ｂが設けられ、そして、（ハ）前記内継手２における一方の後耳抱持部２１６と他方の後耳抱持部２１６との間の後壁板２１３の上端を覆うように、前記抑え片２２の後壁板２２３の上端からその外側に張り出して形成された張り出し片２２３ａが設けられると共に、その張り出し片２２３ａの両端の外側部分にヒンジ嵌合部２２４，２２４が設けられていると、軒樋の意匠性を損なうことなく軒樋を接続でき、且つ、軒樋端部からの漏水を防止することのできる内継手を低コストで提供することができる。
【００２１】
本発明においては、前記抑え片２２における前壁片２２２が前記内継手本体２１における前壁板２１２に押圧されながら前記前壁凹部２１４の上面に係止されると共に、前記抑え片２２における前記後壁片２２３が前記内継手本体２１における後壁板２１３に押圧されながら前記後壁突部２１５の上面に係止され、そして、前記抑え片２２における前記ヒンジ嵌合部２２４，２２４が前記内継手本体２１のヒンジ部２１６ａ，２１６ａに嵌合されている。
【００２２】
前記抑え片２２は、前記内継手本体２１の前壁凹部２１４、及び、前記後壁突部２１５に係合されるもので、前記内継手本体２１の前記後耳抱持部２１６の上端外側に設けられた前記ヒンジ部２１６ａに架設される。また、前記後壁片２２３には、前記内継手本体２１の前記後耳抱持部２１６に係合する前記ヒンジ嵌合部２２４が架設されている。
【００２３】
このように、前記抑え片２２における前壁片２２２が前記内継手本体２１における前壁板２１２に押圧されながら前記前壁凹部２１４の上面に係止されると共に、前記抑え片２２における後壁片２２３が前記内継手本体２１における後壁板２１３に押圧されながら前記後壁突部２１５の上面に係止され、そして、前記抑え片２２におけるヒンジ嵌合部２２４，２２４が前記内継手本体２１のヒンジ部２１６ａ，２１６ａに嵌合されていると、軒樋１と内継手２とがより確実に接続でき、そのために、積雪、台風等による外力が軒樋１にかかっても内継手２が軒樋１から外れることがない。
【００２４】
前記抑え片２２の前壁片２２２上面には、前側目印２３が設けられていてもよい。前側目印２３は、内継手２の軒樋長手方向Ｉについて略中央に、例えば、リブによって形成される。前側目印２３は範囲を示す為に２本のラインによって形成される。このように、前側目印２３が設けられていると、この目印が一対の軒樋１，１の端部に内継手を取付ける際の範囲を示すものとなる。
【００２５】
図３〜５に示されているように、本発明の軒樋の接続構造３は、一対の軒樋１，１の長手方向の端部同志が対向され、それらの軒樋１，１の端部の内面に沿って内継手２が装着されたものとなっている。そして、前記軒樋１，１の接続構造においては、請求項１〜３のいずれか１項に記載された内継手を有している。このように、請求項１〜３のいずれか１項に記載された内継手を有していると、軒樋１の意匠性を損なうことなく軒樋１，１を接続でき、且つ、軒樋１，１の端部からの漏水を防止することのできる軒樋の接続構造３を低コストで提供することができる。
【００２６】
本発明においては、前記抑え片２２における前壁片２２２が前記内継手本体２１における前壁板２１２に押圧されながら前記前壁凹部２１４の上面に係止されると共に、前記抑え片２２における後壁片２２３が前記内継手本体２１における後壁板２１３に押圧されながら前記後壁突部２１５の上面に係止され、かつ、前記抑え片２２におけるヒンジ嵌合部２２４，２２４が前記内継手本体２１のヒンジ部２１６ａ，２１６ａに嵌合されて、前記ヒンジ部２１６ａ，２１６ａを介して内継手本体２１と抑え片２２とが連結されている。
【００２７】
このように、前記抑え片２２における前壁片２２２が前記内継手本体２１における前壁板２１２に押圧されながら前記前壁凹部２１４の上面に係止されると共に、前記抑え片２２における後壁片２２３が前記内継手本体２１における後壁板２１３に押圧されながら前記後壁突部２１５の上面に係止され、かつ、前記抑え片２２におけるヒンジ嵌合部２２４，２２４が前記内継手本体２１のヒンジ部２１６ａ，２１６ａに嵌合されて、前記ヒンジ部２１６ａ，２１６ａを介して内継手本体２１と抑え片２２とが連結されていると、軒樋１と内継手２とがより確実に接続でき、そのために、積雪、台風等による外力が軒樋１にかかっても内継手２が軒樋１から外れることがない。
【００２８】
前記軒樋１及び内継手２は、好ましくは、硬質塩化ビニル樹脂、アクリル樹脂、ポリカーボネイト樹脂、及び、ＡＥＳ樹脂から選択される少なくとも１種の樹脂で構成されるが、本発明の目的に反しない限り、それらの樹脂以外の建材に用いられる公知の樹脂であってもかまわない。
【００２９】
本発明における軒樋１は、好ましくは、押出成形によって形成される。かかる押出成形によって成形されれた軒樋１は、図１に示されているように、平坦な底板１１の前側部から前側壁１２が立設され、かつ、底板１１の後側部から後側壁１３が立設されて、全体として溝形断面に形成されている。また、前側壁１２は外側に向けて段部が形成されると共に、若干膨出して形成され、前記後側壁１３は、底板１１に対して略直角に形成されている。
【００３０】
また、前記前側壁１２の上端には、前耳部１４が形成されているが、この前耳部１４には、内面側に開口した係合溝１４１が形成されている。この係合溝１４１の開口部上縁には、係止爪１４２が下向きに形成されている。さらに、後側壁１３の上端には、後耳部１５が形成されている。
【００３１】
本発明の軒樋構造３において、内継手２で軒樋１、１を接続するには、図２に示すように、内継手本体２１の外周面に必要に応じて接着剤を塗布して、内継手本体２１の後壁板２１３の上端に形成された後耳抱持部２１６を、軒樋１、１の後耳部１５に嵌着して、内継手本体２１を軒樋１、１の内周面に合わせる。そして、抑え片２２のヒンジ嵌合部２２４を内継手本体２１のヒンジ部２１６ａに嵌着させ、抑え片２２の前壁片２２２を下向きに可動させると、前壁片２２２の下端が内継手本体２１の前壁凹部２１４に係止されると共に、後壁片２２３の下端が内継手本体２１の後壁突部２１５に係止される。このように、内継手本体２１の底板２１１を軒樋１内面に突っ張った状態に保持して軒樋１の内面に密着することにより、抑え片２２の前壁片２２２の上端部を軒樋１の前耳部係合溝１４１に係合させる。内継手本体２１の前壁板２１２の先端は、抑え片２２の可動を円滑にするよう略Ｒに形成されている。
【００３２】
抑え片２２の前壁片上面２２２ａには、軒樋１，１と内継手２を接続する際の軒樋端部の取り付け位置を示す前側目印２３を設けてもよい。前側目印２３は、内継手２の軒樋長手方向Ｉについて略中央に、例えばリブによって形成される。この時の前側目印２３は軒樋１，１端部を取付ける際の範囲を示すものとする。又、前側目印２３は範囲を示す為に２本のラインによって形成される。
【００３３】
本発明の軒樋構造３においては、内継手本体２１の前壁中間突部２１４ａと後壁突部２１５とが軒樋長手方向Ｉに形成されているので、軒樋１，１の剛性を確保でき、そのために、取り付け後の軒樋１，１の垂れ下がりを防止できる。本発明の内継手２は、抑え片２２の前壁片２２２上端部と軒樋１の前耳部係合溝１４１との係合、内継手本体２１の前壁凹部２１４と抑え片２２の前壁片２２２の下端との係合、内継手本体２１の後耳抱持部２１６と軒樋１の後耳部１５との係合により、例えば積雪などの外力が軒樋１に掛かった際に、内継手２が外れることなく非常に堅固に軒樋１，１を接続できる。
【図面の簡単な説明】
【００３４】
【図１】本発明の一実施形態を示す内継手の斜視図である。
【図２】本発明の一実施形態を示す内継手の分解斜視図である。
【図３】本発明の一実施形態を示す軒樋の接続構造の斜視図である。
【図４】図３におけるＡ−Ａ断面図である。
【図５】抑え板の動きを示す断面説明図である。
【図６】従来の軒樋の接続構造の側面図である。
【符号の説明】
【００３５】
１  軒樋
１１  底板
１２  前側壁
１３  後側壁
１４  前耳部
１４１  係合溝
１４２  係止爪
１５  後耳部
２  内継手
２１  内継手本体
２１１  底板
２１２  前壁板
２１３  後壁板
２１４  前壁凹部
２１４ａ  前壁中間突部
２１５  後壁突部
２１６  後耳抱持部
２１６ａ  ヒンジ部
２１６ｂ  操作片
２２  抑え片
２２１  連結板
２２２  前壁片
２２２ａ  前壁片上面
２２３  後壁片
２２３ａ  張出し片
２２４  ヒンジ嵌合部
２３  前側目印
３  軒樋の接続構造
【図１】
2008156996.tif 000003
【図２】
2008156996.tif 000004
【図３】
2008156996.tif 000005
【図４】
2008156996.tif 000006
【図５】
2008156996.tif 000007
【図６】
2008156996.tif 000008